(57)【要約】  画像読取装置（１００）は、原稿台（１１）と、第１生成部（８１１）と、第１割当部（８１２）と、第２生成部（８１１）と、第２割当部（８１２）と、関連付け部（８１３）とを備える。前記第１生成部（８１１）は、複数の原稿の第１面の画像を示す複数の第１画像データを生成する。前記第１割当部（８１２）は、原稿台の基準位置に基づいて、各第１画像データに対して第１記号を割り当てる。前記第２生成部（８１１）は、複数の原稿の第２面の画像を示す複数の第２画像データを生成する。前記第２割当部（８１２）は、基準位置に基づいて、各第２画像データに対して第２記号を割り当てる。前記関連付け部（８１３）は、第１記号及び第２記号に基づいて、各第１画像データと、各第２画像データとを関連付ける。
2020049923.tif 000002
【特許請求の範囲】
【請求項１】
原稿台と、
前記原稿台に載置された複数枚の原稿の各々の第１面の画像をそれぞれ示す複数の第１画像データを生成する第１生成部と、
前記原稿台の基準位置に基づいて、前記複数の第１画像データの各々に対して、互いに異なる第１記号を割り当てる第１割当部と、
前記原稿台に載置された前記複数枚の原稿の各々の第２面の画像をそれぞれ示す複数の第２画像データを生成する第２生成部と、
前記基準位置に基づいて、前記複数の第２画像データの各々に対して、互いに異なる第２記号を割り当てる第２割当部と、
前記第１記号及び前記第２記号に基づいて、前記複数の第１画像データの各々と、前記複数の第２画像データの各々とを関連付ける関連付け部と
を備える、画像読取装置。
【請求項２】
前記原稿台は、前記基準位置を示す目印部を有する、請求項１に記載の画像読取装置。
【請求項３】
画像を表示する表示部と、
関連付けられた前記第１画像データと前記第２画像データとに基づいて、前記第１面の画像と前記第２面の画像とを集約した集約画像を示す集約画像データを生成する第３生成部と、
前記集約画像データに基づいて、前記表示部に前記集約画像をプレビュー表示させる表示制御部と
を更に備える、請求項１に記載の画像読取装置。
【請求項４】
複数の前記集約画像データに基づいて、一覧画像データを生成する第４生成部を更に備え、
前記表示制御部は、前記一覧画像データに基づいて、前記表示部に一覧画像を表示させ、
前記一覧画像は、複数の前記集約画像を示す、請求項３に記載の画像読取装置。
【請求項５】
前記表示部に表示された前記集約画像に対するタッチ操作を検知する検知部と、
前記タッチ操作に基づいて、前記集約画像を編集する編集部と
を更に備え、
前記タッチ操作は、複数の前記集約画像のうちの１つに含まれる前記第１画像又は前記第２画像をタッチする第１タッチ操作と、前記複数の集約画像のうちの１つに含まれる前記第２画像又は前記第１画像をタッチする第２タッチ操作とを含み、
前記編集部は、前記第１タッチ操作においてタッチされた前記第１画像又は前記第２画像と、前記第２タッチ操作においてタッチされた前記第２画像又は前記第１画像とを入れ替える、請求項３に記載の画像読取装置。
【請求項６】
前記第１生成部は、マルチオートクロップ機能を用いて、複数の前記第１画像データを生成し、
前記第２生成部は、マルチオートクロップ機能を用いて、複数の前記第２画像データを生成する、請求項１に記載の画像読取装置。
【請求項７】
前記第１割当部は、前記原稿台の基準位置に対する前記複数枚の原稿の位置に応じて、前記複数の第１画像データの各々に対して前記第１記号を割り当て、
前記第２生成部は、前記原稿台の基準位置に対する前記複数枚の原稿の位置に応じて、前記複数の第１画像データの各々に対して前記第２記号を割り当てる、請求項１に記載の画像読取装置。
【請求項８】
前記第１割当部は、前記複数の前記第１画像データの各々に対して順番に数字を割り当て、
前記第２生成部は、前記複数の前記第２画像データの各々に対して順番に数字を割り当てる、請求項１に記載の画像読取装置。
【請求項９】
複数枚の原稿を読み取る画像読取部と、
記録媒体に画像を形成する画像形成部と
を備えた画像形成装置であって、
前記画像読取部は、
原稿台と、
前記原稿台に載置された前記複数枚の原稿の各々の第１面の画像をそれぞれ示す複数の第１画像データを生成する第１生成部と、
前記原稿台の基準位置に基づいて、前記複数の第１画像データの各々に対して、互いに異なる第１記号を割り当てる第１割当部と、
前記原稿台に載置された前記複数枚の原稿の各々の第２面の画像をそれぞれ示す複数の第２画像データを生成する第２生成部と、
前記基準位置に基づいて、前記複数の第２画像データの各々に対して、互いに異なる第２記号を割り当てる第２割当部と、
前記第１記号及び前記第２記号に基づいて、前記複数の第１画像データの各々と、前記複数の第２画像データの各々とを関連付ける関連付け部と
を備える、画像形成装置。
【発明の詳細な説明】
【技術分野】
【０００１】
本発明は、画像読取装置及び画像形成装置に関する。
【背景技術】
【０００２】
原稿台に載置された複数枚の原稿を一括して読み取り、複数枚の原稿のそれぞれの画像データを生成する画像読取装置が知られている。更に、複数枚の原稿の表（おもて）面を一括して読み取った後、複数枚の原稿の裏面を一括して読み取り、原稿ごとに表面の画像データと裏面の画像データとを関連付ける画像読取装置が知られている。このような画像読取装置は、原稿ごとに、表面画像と裏面画像とを一括してプレビュー表示することができる。【０００３】
例えば、特許文献１の画像読取装置は、表面を読み取る際に各原稿が載置された各エリアと、裏面を読み取る際に各原稿が載置された各エリアとに基づいて、表面の画像データと裏面の画像データとを関連付ける。
【先行技術文献】
【特許文献】
【０００４】
【特許文献１】特開２００９−１００２１１号公報
【発明の概要】
【発明が解決しようとする課題】
【０００５】
しかしながら、特許文献１の画像読取装置では、表面を読み取る際に各原稿が載置された各エリアと、裏面を読み取る際に各原稿が載置されたエリアとが異なる場合、表面の画像データと裏面の画像データとの組み合わせを間違って関連付ける可能性がある。すなわち、異なる原稿の表面と裏面とを関連付ける可能性がある。【０００６】
本発明は上記課題に鑑みてなされたものであり、その目的は、表面の画像データと裏面の画像データとの組み合わせを間違って関連付ける可能性を低減できる画像読取装置及び画像形成装置を提供することにある。
【課題を解決するための手段】
【０００７】
本発明に係る画像読取装置は、原稿台と、第１生成部と、第１割当部と、第２生成部と、第２割当部と、関連付け部とを備える。前記第１生成部は、前記原稿台に載置された複数枚の原稿の各々の第１面の画像をそれぞれ示す複数の第１画像データを生成する。前記第１割当部は、前記原稿台の基準位置に基づいて、前記複数の第１画像データの各々に対して、互いに異なる第１記号を割り当てる。前記第２生成部は、前記原稿台に載置された前記複数枚の原稿の各々の第２面の画像をそれぞれ示す複数の第２画像データを生成する。前記第２割当部は、前記基準位置に基づいて、前記複数の第２画像データの各々に対して、互いに異なる第２記号を割り当てる。前記関連付け部は、前記第１記号及び前記第２記号に基づいて、前記複数の第１画像データの各々と、前記複数の第２画像データの各々とを関連付ける。【０００８】
本発明に係る画像形成装置は、原稿台と、第１生成部と、第１割当部と、第２生成部と、第２割当部と、関連付け部とを備える。前記第１生成部は、前記原稿台に載置された複数枚の原稿の各々の第１面の画像をそれぞれ示す複数の第１画像データを生成する。前記第１割当部は、前記原稿台の基準位置に基づいて、前記複数の第１画像データの各々に対して、互いに異なる第１記号を割り当てる。前記第２生成部は、前記原稿台に載置された前記複数枚の原稿の各々の第２面の画像をそれぞれ示す複数の第２画像データを生成する。前記第２割当部は、前記基準位置に基づいて、前記複数の第２画像データの各々に対して、互いに異なる第２記号を割り当てる。前記関連付け部は、前記第１記号及び前記第２記号に基づいて、前記複数の第１画像データの各々と、前記複数の第２画像データの各々とを関連付ける。
【発明の効果】
【０００９】
本発明に係る画像読取装置及び画像形成装置によれば、表面の画像データと裏面の画像データとの組み合わせを間違って関連付ける可能性を低減することができる。
【図面の簡単な説明】
【００１０】
【図１】本発明の実施形態に係る画像形成装置の構成を示す概略図である。
【図２】画像形成装置の構成を示すブロック図である。
【図３Ａ】割当処理のうち、前半の処理を示す模式図である。
【図３Ｂ】割当処理のうち、後半の処理を示す模式図である。
【図４】関連付け処理で関連付けられた２つの画像を集約した集約画像を示す模式図である。
【図５Ａ】編集処理前の一覧画像を示す図である。
【図５Ｂ】編集処理後の一覧画像を示す図である。
【図６】画像形成装置の両面読取処理を示すフローチャートである。
【発明を実施するための形態】
【００１１】
以下、本発明に係る画像読取装置及び画像形成装置の実施形態について、図面を参照しながら説明する。なお、図中、同一又は相当部分については同一の参照符号を付して説明を繰り返さない。
【００１２】
図１を参照して、本発明の実施形態に係る画像形成装置１００の構成について説明する。図１は、本発明の実施形態に係る画像形成装置１００の構成を示す概略図である。本実施形態において、画像形成装置１００は、複合機である。画像形成装置１００は、スキャナー機能と、コピー機能と、通信機能とを有する。
【００１３】
図１に示すように、画像形成装置１００は、画像読取部１０と、給紙カセット２０と、用紙搬送部３０と、画像形成部４０と、用紙排出部５０と、入出力部６０と、通信部７０と、制御部８０とを備える。なお、画像形成装置１００は、画像読取装置の一例である。
【００１４】
画像読取部１０は、原稿台１１を備える。原稿台１１は、複数の原稿を載置する。画像読取部１０は、原稿台１１に載置された原稿を読み取り、画像データを生成して、制御部８０に送信する。具体的には、画像読取部１０は、原稿台１１に載置された複数枚の原稿の各第１面（例えば、表（おもて）面）の画像を一括して読み取り、第１面データを生成する。更に、画像読取部１０は、原稿台１１に載置された複数枚の原稿の各第２面（例えば、裏面）の画像を一括して読み取り、第２面データを生成する。画像読取部１０は、第１面データと、第２面データとを制御部８０に送信する。以下、第１面データが示す画像を第１面画像といい、第２面データが示す画像を第２面画像という。
【００１５】
給紙カセット２０は、印刷用の記録媒体Ｐを収容する。印刷を行う際、給紙カセット２０内の記録媒体Ｐは、画像形成部４０を経由して用紙排出部５０から排出されるように、用紙搬送部３０によって搬送される。
【００１６】
用紙搬送部３０は、画像形成部４０を経由して記録媒体Ｐを用紙排出部５０まで搬送する。
【００１７】
画像形成部４０は、制御部８０で生成された印刷用の画像データに基づいて、記録媒体Ｐに画像を形成する。記録媒体Ｐは、例えば用紙である。
【００１８】
入出力部６０は、画像形成装置１００のユーザーによる各種のタッチ操作を検知する。入出力部６０は、画像を表示する表示部６１を有する。表示部６１は、ユーザーに提示する各種の情報を表示する。表示部６１は、例えば、図４を参照して後述する集約画像を表示する。具体的には、入出力部６０は、表示部６１に表示された集約画像に対するタッチ操作を検知し、タッチ操作に基づく指示を制御部８０に通知する。更に、入出力部６０は、制御部８０の指示に応じて、制御部８０で生成された画像を表示する。入出力部６０は、例えばタッチパネルを有する液晶ディスプレーである。なお、入出力部６０は、検知部の一例である。
【００１９】
通信部７０は、同じ通信方式（プロトコル）を利用する電子機器との間で通信が可能である。本実施形態において、通信部７０は、インターネット及びＬＡＮ（Ｌｏｃａｌ  Ａｒｅａ  Ｎｅｔｗｏｒｋ）などのネットワーク網を介して、外部の情報処理装置（以下、外部の情報処理装置を「外部装置」という。）と通信する。通信部７０は、例えば、ＬＡＮボードのような通信モジュールである。
【００２０】
制御部８０は、画像形成装置１００の各構成部分の動作を制御する。更に、制御部８０は、画像読取部１０で生成された画像データを受信して、印刷用の画像データを生成する。更に、制御部８０は、画像読取部１０で生成された画像データを受信して、表示部６１にプレビュー表示させる画像の画像データを生成する。
【００２１】
次に、図１及び図２を参照して、画像形成装置１００の構成のうち、特に制御部８０の構成について、詳細に説明する。図２は、画像形成装置１００の構成を示すブロック図である。
【００２２】
図１を参照して説明したように、画像形成装置１００は、画像読取部１０と、画像形成部４０と、入出力部６０と、通信部７０と、制御部８０とを備える。図２は、制御部８０の詳細な構成を示す。
【００２３】
図２に示すように、制御部８０は、処理部８１と、記憶部８２とを備える。処理部８１は、例えば、プロセッサーである。プロセッサーは、例えばＣＰＵ（Ｃｅｎｔｒａｌ  Ｐｒｏｃｅｓｓｉｎｇ  Ｕｎｉｔ）である。処理部８１は、記憶部８２に記憶された制御プログラムを実行することによって、画像形成装置１００の各構成部分の動作を制御する。
【００２４】
記憶部８２は、各種のデータ及び制御プログラムを記憶する。記憶部８２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び／又はソリッドステートドライブ（Ｓｏｌｉｄ  Ｓｔａｔｅ  Ｄｒｉｖｅ：ＳＳＤ）によって構成される。記憶部８２は、外部メモリーを含んでいてもよい。外部メモリーは、リムーバブルメディアである。記憶部８２は、外部メモリーとして、例えば、ＵＳＢ（Ｕｎｉｖｅｒｓａｌ  Ｓｅｒｉａｌ  Ｂｕｓ）メモリー、及び／又はＳＤ（Ｓｅｃｕｒｅ  Ｄｉｇｉｔａｌ）カードを含んでもよい。
【００２５】
本実施形態において、処理部８１が記憶部８２に格納された制御プログラムを実行することによって、制御プログラムが、画像生成部８１１と、記号割当部８１２と、関連付け部８１３と、画像集約部８１４と、表示制御部８１５との機能を実現する。
【００２６】
画像生成部８１１は、画像読取部１０から第１面データと第２面データとを受信する。更に、画像生成部８１１は、第１面データに基づいて、複数の第１画像データを生成する。また、画像生成部８１１は、第２面データに基づいて、複数の第２画像データを生成する。第１画像データは、第１画像を示す。第２画像データは、第２画像を示す。
【００２７】
各々の第１画像データは、第１面データから切り出された矩形の画像を示す画像データである。第１画像は、第１面の一の原稿に対応する画像である。各々の第２画像データは、第２面データから切り出された矩形の画像を示す画像データである。第２画像は、第２面の一の原稿に対応する画像である。
【００２８】
本実施形態において、画像生成部８１１は、複数枚の原稿の各々の第１面の画像をそれぞれ示す複数の第１画像データを生成する。更に、画像生成部８１１は、複数枚の原稿の各々の第２面の画像をそれぞれ示す複数の第２画像データを生成する。具体的には、画像生成部８１１は、公知のマルチオートクロップ機能を用いて、複数の第１画像データ及び複数の第２画像データを生成する。
【００２９】
例えば、第１面画像の濃度分布に基づいて、各矩形の画像のエッジを検出する。更に、各矩形の画像のエッジに基づいて、複数の画像データを切り出す。切り出された複数の画像データが複数の第１画像データである。複数の第１画像データを生成する方法と同様に、第２面画像に基づいて、複数の第２画像データを生成する。なお、画像生成部８１１は、第１生成部及び第２生成部の一例である。
【００３０】
本実施形態において、画像生成部８１１は、複数の第１画像データに、それぞれ位置情報とサイズ情報とを付加する。位置情報は、原稿台１１における第１画像の位置を示す。サイズ情報は、第１画像のサイズを示す。例えば、画像生成部８１１は、原稿台１１の基準位置Ｓ（図３Ａ参照）に基づいて、第１画像の中心位置を算出する。更に、画像生成部８１１は、第１画像のエッジに基づいて、第１画像のサイズを算出する。同様に、画像生成部８１１は、複数の第２画像データに、それぞれ位置情報とサイズ情報とを付加する。原稿台１１の基準位置は、例えば左側後端部である。原稿台１１は、基準位置を示す目印部を有していてもよい。
【００３１】
記号割当部８１２は、原稿台１１の基準位置に基づいて、複数の第１画像データの各々に対して、互いに異なる第１記号を割り当てる。更に、記号割当部８１２は、原稿台１１の基準位置に基づいて、複数の第２画像データの各々に対して、互いに異なる第２記号を割り当てる。第１記号は、複数の第１画像データを識別するために割り当てられる。第２記号は、複数の第２画像データを識別するために割り当てられる。第１記号及び第２記号は、例えば、番号、アルファベット、記号、特殊記号である。なお、記号割当部８１２は、第１割当部及び第２割当部の一例である。
【００３２】
関連付け部８１３は、第１記号と第２記号とに基づいて、複数の第１画像データの各々と複数の第２画像データの各々とを関連付ける。複数の第１画像データの各々と複数の第２画像データの各々との関連付けについては、図４を参照して後述する。更に、関連付け部８１３は、ユーザーによるタッチ操作に基づいて、集約画像を編集する。集約画像の編集については、図５Ａおよび図５Ｂを参照して後述する。なお、関連付け部８１３は、編集部の一例でもある。
【００３３】
画像集約部８１４は、関連付けられた第１画像データと第２画像データとに基づいて、集約画像を示す集約画像データを生成する。集約画像の詳細は、図４を参照して後述する。更に、画像集約部８１４は、複数の集約画像データに基づいて、一覧画像を示す一覧画像データを生成する。一覧画像の詳細は、図５Ａおよび図５Ｂを参照して後述する。なお、画像集約部８１４は、第３生成部及び第４生成部の一例である。
【００３４】
表示制御部８１５は、表示部６１に集約画像をプレビュー表示させる。更に、表示制御部８１５は、表示部６１に一覧画像を表示させる。
【００３５】
次に、図２〜図６を参照して、本実施形態に係る両面読取処理を説明する。両面読取処理は、読取処理と、割当処理と、関連付け処理と、集約処理と、編集処理とを含む。読取処理では、第１面データと第２面データとを生成する。更に、読取処理では、複数の第１画像データと複数の第２画像データとを生成する。割当処理では、複数の第１画像データに第１記号を割り当て、複数の第２画像データに第２記号を割り当てる。関連付け処理では、第１記号と、第２記号とに基づいて、複数の第１画像データの各々と、複数の第２画像データの各々とを関連付ける。集約処理では、関連付け処理で関連付けられた複数の第１画像データの各々と、複数の第２画像データの各々とに基づいて、集約画像を生成する。更に、集約処理では、複数の集約画像データに基づいて、一覧画像を生成する。編集処理では、ユーザーによるタッチ操作に基づいて、集約画像又は一覧画像を編集する。
【００３６】
次に、図３Ａ及び図３Ｂを参照して、割当処理を具体的に説明する。図３Ａは、割当処理のうちの前半の処理を示す模式図である。すなわち、図３Ａは、複数の第１画像データに第１記号を割り当てる様子を示す。
【００３７】
図３Ａは、第１面を下に向けて原稿台１１に載置された８枚の原稿を示す。図３Ａに示すように、画像生成部８１１が、８枚の原稿の第１面を示す第１画像データ１２１〜第１画像データ１９１を生成する。
【００３８】
図３Ａに示すように、第１画像データ１２１〜第１画像データ１９１が生成されると、記号割当部８１２は、第１画像データ１２１〜第１画像データ１９１のそれぞれに、第１記号として、番号として数字「１」〜「８」を割り当てる。本実施形態では、記号割当部８１２は、図３Ａの矢印Ａ１〜矢印Ａ５で示す順序で、第１画像データ１２１〜１９１に第１記号を割り当てる。
【００３９】
すなわち、記号割当部８１２は、まず、最も左側の第１画像データ１２１〜第１画像データ１４１に、第１記号として、番号「１」〜「３」を割り当てる。次に、記号割当部８１２は、中央の第１画像データ１５１〜第１画像データ１７１に、第１記号として、番号「４」〜「６」を割り当てる。最後に、記号割当部８１２は、最も右側の第１画像データ１８１〜第１画像データ１９１に、第１記号として、番号「７」〜「８」を割り当てる。以上のように、本実施形態では、記号割当部８１２は、原稿台１１の基準位置Ｓ、各第１画像の位置、及び各第１画像のサイズに基づいて、各第１画像データに第１記号を割り当てる。
【００４０】
例えば、記号割当部８１２は、複数の第１画像データのうち左側後端部の原稿に対応する第１画像データ１２１に番号「１」を割り当て、第１画像データ１２１に対応する原稿よりも前側に位置する２つの原稿に対応する第１画像データ１３１および第３画像データ１４１に番号「２」および番号「３」を割り当てる。次に、記号割当部８１２は、第１画像データ１２１に対応する原稿よりも右側に位置する原稿に対応する第１画像データ１５１に番号「４」を割り当てる。その後、記号割当部８１２は、第１画像データ１５１に対応する原稿よりも前側に位置する２つの原稿に対応する第１画像データ１６１および第３画像データ１７１に番号「５」および番号「６」を割り当てる。
【００４１】
図３Ｂは、割当処理のうち、後半の処理の様子を示す模式図である。すなわち、図３Ｂは、複数の第２画像データに第２記号を割り当てる様子を示す。
【００４２】
図３Ｂは、第２面を下に向けて原稿台１１に載置された８枚の原稿を示す。図３Ｂに示すように、画像生成部８１１が、８枚の原稿の第２面を示す第２画像データ１２２〜第２画像データ１９２を生成する。
【００４３】
図３Ｂに示すように、第２画像データ１２２〜第２画像データ１９２が生成されると、記号割当部８１２は、第２画像データ１２２〜第２画像データ１９２のそれぞれに、第２記号として、番号「１」〜「８」を割り当てる。本実施形態では、記号割当部８１２は、図３Ｂの矢印Ｂ１〜矢印Ｂ５で示す順序で、第２画像データ１２２〜１９２に第２記号を割り当てる。すなわち、記号割当部８１２は、まず、最も左側の第２画像データ１２２〜第２画像データ１４２に、第２記号として、番号「１」〜「３」を割り当てる。次に、記号割当部８１２は、中央の第２画像データ１５２〜第２画像データ１７２に、第２記号として、番号「４」〜「６」を割り当てる。最後に、記号割当部８１２は、最も右側の第２画像データ１８２〜第２画像データ１９２に、第２記号として、番号「７」〜「８」を割り当てる。以上のように、本実施形態では、記号割当部８１２は、原稿台１１の基準位置Ｓ、各第２画像の位置、及び各第２画像のサイズに基づいて、各第２画像データに第２記号を割り当てる。
【００４４】
次に、図４を参照して、関連付け処理と集約処理とを説明する。関連付け処理は、関連付け部８１３によって実行される。集約処理は、画像集約部８１４によって実行される。図４は、関連付け処理で関連付けられた２つの画像を集約した集約画像を示す模式図である。図４は、８個の集約画像１２〜集約画像１９を示す。例えば、集約画像１２は、第１画像データ１２１が示す第１画像と、第２画像データ１２２が示す第２画像とを含む。
【００４５】
具体的に説明すると、集約画像１２の第１画像と第２画像とは、関連付け部８１３の関連付け処理によって関連付けられている。すなわち、関連付け部８１３は、第１画像データ１２１に割り当てられた番号「１」と、第２画像データ１２２に割り当てられた番号「１」とに基づいて、双方に割り当てられた番号が一致していると判断した場合に、第１画像と、第２画像とを関連付ける。
【００４６】
例えば、図３Ａ及び図３Ｂに示されるように、集約画像１３において、番号「２」が割り当てられた第１画像データ１３１と、番号「２」が割り当てられた第２画像データ１３２とが、関連付け部８１３によって関連付けられる。集約画像１４〜集約画像１９も同様に、それぞれの第１画像データと、第２画像データとが、関連付け部８１３によって関連付けられる。
【００４７】
集約画像１２〜集約画像１９は、例えば集約画像単位でそれぞれ表示部６１に表示される。この場合、ユーザーは、スワイプ操作を用いて、集約画像１２〜集約画像１９を切り替えて表示させてもよい。
【００４８】
次に、図５Ａおよび図５Ｂを参照して、編集処理を説明する。図５Ａは、編集処理前の一覧画像６２Ａを示す。一覧画像６２Ａは、４個の集約画像を含む。具体的には、一覧画像６２Ａは、集約画像１２を示す縮小画像１２ａと、集約画像１３を示す縮小画像１３ａと、集約画像１４を示す縮小画像１４ａと、集約画像１５を示す縮小画像１５ａとを含む。縮小画像１２ａは、第１画像データ１２１が示す第１画像と、第２画像データ１２２が示す第２画像とを示す。同様に、縮小画像１３ａは、第１画像データ１３１が示す第１画像と、第２画像データ１３２が示す第２画像とを示す。縮小画像１４ａは、第１画像データ１４１が示す第１画像と、第２画像データ１４２が示す第２画像とを示す。縮小画像１５ａは、第１画像データ１５１が示す第１画像と、第２画像データ１５２が示す第２画像とを示す。
【００４９】
一覧画像６２Ａでは、縮小画像１３ａの第１画像は「裏面ｂ」を示す。また、縮小画像１３ａの第２画像は「表面Ｂ」を示す。このように、縮小画像１３ａは、本来第１画像データが示すべき画像「表面Ｂ」と、本来第２画像データが示すべき画像「裏面ｂ」とが逆になっている。
【００５０】
更に、一覧画像６２Ａの縮小画像１４ａの第２画像は「裏面ｄ」を示し、縮小画像１５ａの第２画像は「裏面ｃ」を示す。このように、縮小画像１４ａと縮小画像１５ａとは、縮小画像１４ａの本来第２画像データが示すべき画像「裏面ｃ」と、縮小画像１５ａの本来第２画像データが示すべき画像「裏面ｄ」とが逆になっている。なお、一覧画像６２Ａの縮小画像１２ａの第１画像は「表面Ａ」を示し、第２画像は「裏面ａ」を示しているので、正常である。
【００５１】
図５Ｂは、図５Ａの一覧画像６２Ａに対する編集処理後の一覧画像６２Ｂを示す。図５Ｂに示すように、一覧画像６２Ｂの縮小画像１３ａの第１画像と第２画像とが入れ替わっている。更に、縮小画像１４ａの第２画像と、縮小画像１５ａの第２画像とが入れ替わっている。
【００５２】
図５Ａの一覧画像６２Ａに対して、関連付け部８１３は、編集処理を実行する。関連付け部８１３は、ユーザーから受け付けたタッチ操作に基づいて、集約画像に対して編集処理を実行する。ユーザーから受け付けるタッチ操作には、第１タッチ操作と、第２タッチ操作とがある。すなわち、タッチ操作には、入れ替える画像の第１候補をタッチする第１タッチ操作と、第１候補の画像と入れ替えたい第２候補の画像をタッチする第２タッチ操作とがある。具体的には、第１タッチ操作は、複数の集約画像のうちの１つに含まれる第１画像又は第２画像をタッチする。第２タッチ操作は、第１タッチ操作の後に続けて、複数の集約画像のうちの１つに含まれる第２画像又は第１画像をタッチする。関連付け部８１３部は、第１タッチ操作においてタッチされた第１画像又は第２画像と、第２タッチ操作においてタッチされた第２画像又は第１画像とを入れ替える。
【００５３】
図５Ａ及び図５Ｂを参照しながら具体的に説明する。一覧画像６２Ａに対して、第１回目の第１タッチ操作として、第１画像データ１３１が示す第１画像をタッチし、第１回目の第２タッチ操作として、第２画像データ１３２が示す第２画像をタッチする。第１回目の第１タッチ操作と第２タッチ操作とを行うことによって、縮小画像１３ａにおける第１画像と第２画像とを入れ替えることができる。
【００５４】
更に、第２回目の第１タッチ操作として、第２画像データ１４２が示す第２画像をタッチし、第２回目の第２タッチ操作として、第２画像データ１５２が示す第２画像をタッチする。第２回目の第１タッチ操作と第２タッチ操作とを行うことによって、縮小画像１４ａにおける第２画像と、縮小画像１５ａにおける第２画像とを入れ替えることができる。したがって、第１面を読み取る際の各原稿と、第２面を読み取る際の各原稿とを間違った場合であっても、タッチ操作によって容易に修正することができる。
【００５５】
図６は、両面読取処理を示すフローチャートである。両面読取処理は、ステップＳ２〜ステップＳ２２によって実行される。
【００５６】
ステップＳ２：画像生成部８１１は、画像読取部１０から受信した第１面データに基づいて、複数枚の原稿に対応する第１画像データを生成する。処理は、ステップＳ４に進む。
【００５７】
ステップＳ４：記号割当部８１２は、複数の第１画像データに第１記号を割り当てる。処理は、ステップＳ６に進む。
【００５８】
ステップＳ６：画像生成部８１１は、画像読取部１０から受信した第２面データに基づいて、複数枚の原稿に対応する第２画像データを生成する。処理は、ステップＳ８に進む。
【００５９】
ステップＳ８：記号割当部８１２は、複数の第２画像データに第２記号を割り当てる。処理は、ステップＳ１０に進む。
【００６０】
ステップＳ１０：関連付け部８１３は、第１記号と第２記号とに基づいて、複数の第１画像データと複数の第２画像データとを関連付ける。処理は、ステップＳ１２に進む。
【００６１】
ステップＳ１２：画像集約部８１４は、第１画像データと第２画像データとに基づいて、集約画像又は一覧画像をプレビュー表示させる。処理は、ステップＳ１４に進む。
【００６２】
ステップＳ１４：関連付け部８１３は、表示部６１に集約画像又は一覧画像がプレビュー表示されている場合に、ユーザーから編集操作があるか否かを判定する。ユーザーから編集操作があると関連付け部８１３が判定した場合は（ステップＳ１４でＹｅｓ）、処理は、ステップＳ１６に進む。ユーザーから編集操作がないと関連付け部８１３が判定した場合は（ステップＳ１４でＮｏ）、処理は、ステップＳ１８に進む。
【００６３】
ステップＳ１６：関連付け部８１３は、ユーザーによるタッチ操作に基づいて、集約画像データ又は一覧画像データの構成を編集する。処理は、ステップＳ１８に進む。
【００６４】
ステップＳ１８：制御部８０は、ユーザーから印刷指示又は送信指示があるか否かを判定する。ユーザーから印刷指示があると制御部８０が判定した場合は（ステップＳ１８で印刷）、処理は、ステップＳ２０に進む。ユーザーから送信指示があると制御部８０が判定した場合は（ステップＳ１８で送信）、処理は、ステップＳ２２に進む。
【００６５】
ステップＳ２０：制御部８０は、ユーザーの指示に応じて、集約画像を印刷する。両面読取処理は、終了する。
【００６６】
ステップＳ２２：制御部８０は、ユーザーの指示に応じて、集約画像データを外部装置に送信する。両面読取処理は、終了する。
【００６７】
以上のように、本実施形態の画像形成装置１００によれば、表面の画像データと裏面の画像データとの組み合わせを間違って関連付ける可能性を低減することができる。更に、第１面を読み取る際の各原稿と、第２面を読み取る際の各原稿とを間違った場合であっても、タッチ操作によって容易に修正することができる。
【００６８】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）、（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６９】
（１）本発明の実施形態では、画像形成装置１００の一例として、複合機を用いて説明したが、画像形成装置１００は、複合機に限定されない。例えば、画像形成装置１００は、例えば、スキャナー及び／又はプリンターを備えるパーソナルコンピューターであってもよい。
【００７０】
（２）更に、本発明の実施形態では、画像読取装置の一例として画像形成装置１００を説明したが、画像読取装置は、例えばタッチパネルを備えるスキャナーであってもよい。
【００７１】
更に、本発明は、本発明に係る画像読取装置の特徴的な構成手段をステップとする画像読み取り方法として実現したり、それらのステップを含む制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００７２】
本発明は、画像読取装置及び画像形成装置の分野に利用可能である。
【図１】
2020049923.tif 000003
【図２】
2020049923.tif 000004
【図３Ａ】
2020049923.tif 000005
【図３Ｂ】
2020049923.tif 000006
【図４】
2020049923.tif 000007
【図５Ａ】
2020049923.tif 000008
【図５Ｂ】
2020049923.tif 000009
【図６】
2020049923.tif 000010
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
原稿台と、
前記原稿台に載置された複数枚の原稿の各々の第１面の第１画像をそれぞれ示す複数の第１画像データを生成する第１生成部と、
前記原稿台の基準位置に基づいて、前記複数の第１画像データの各々に対して、互いに異なる第１記号として番号を割り当てる第１割当部と、
前記原稿台に載置された前記複数枚の原稿の各々の第２面の第２画像をそれぞれ示す複数の第２画像データを生成する第２生成部と、
前記基準位置に基づいて、前記複数の第２画像データの各々に対して、互いに異なる第２記号として番号を割り当てる第２割当部と、
前記第１記号及び前記第２記号に基づいて、前記複数の第１画像データの各々と、前記複数の第２画像データの各々とを関連付ける関連付け部と
を備え、
前記第１割当部は、
前記複数の第１画像データのうちの前記基準位置に最も近い第１基準原稿に対応する第１画像データに番号を割り当て、
前記複数の第１画像データのうちの前記第１基準原稿の第１方向に位置する原稿に対応する第１画像データに前記第１基準原稿に近い順番に続きの番号を割り当て、
前記複数の第１画像データのうちの前記第１基準原稿に対して第２方向に位置する第２基準原稿に対応する第１画像データに続きの番号を割り当て、
前記複数の第１画像データのうちの前記第２基準原稿の前記第１方向に位置する原稿に対応する第１画像データに前記第２基準原稿に近い順番に続きの番号を順番に割り当て、
前記第２割当部は、
前記複数の第２画像データのうちの前記基準位置に最も近い第１基準原稿に対応する第２画像データに番号を割り当て、
前記複数の第２画像データのうちの前記第１基準原稿の前記第１方向に位置する原稿に対応する第２画像データに前記第１基準原稿に近い順番に続きの番号を割り当て、
前記複数の第２画像データのうちの前記第１基準原稿に対して前記第２方向に位置する第２基準原稿に対応する第２画像データに続きの番号を割り当て、
前記複数の第２画像データのうちの前記第２基準原稿の前記第１方向に位置する原稿に対応する第２画像データに前記第２基準原稿に近い順番に続きの番号を順番に割り当て、
前記基準位置は、前記原稿台の左側後端部に位置し、
前記第１方向は、前記原稿台に対して後側から手前側に向かう方向を示し、
前記第２方向は、前記原稿台に対して左側から右側に向かう方向を示す、画像読取装置。
【請求項２】
前記原稿台は、前記基準位置を示す目印部を有する、請求項１に記載の画像読取装置。
【請求項３】
画像を表示する表示部と、
関連付けられた前記第１画像データと前記第２画像データとに基づいて、前記第１面の第１画像と前記第２面の第２画像とを集約した集約画像を示す集約画像データを生成する第３生成部と、
前記集約画像データに基づいて、前記表示部に前記集約画像をプレビュー表示させる表示制御部と
を更に備える、請求項１または２に記載の画像読取装置。
【請求項４】
複数の前記集約画像データに基づいて、一覧画像データを生成する第４生成部を更に備え、
前記表示制御部は、前記一覧画像データに基づいて、前記表示部に一覧画像を表示させ、
前記一覧画像は、複数の前記集約画像を示す、請求項３に記載の画像読取装置。
【請求項５】
前記表示部に表示された前記集約画像に対するタッチ操作を検知する検知部と、
前記タッチ操作に基づいて、前記集約画像を編集する編集部と
を更に備え、
前記タッチ操作は、複数の前記集約画像のうちの１つに含まれる前記第１画像又は前記第２画像をタッチする第１タッチ操作と、前記複数の集約画像のうちの１つに含まれる前記第２画像又は前記第１画像をタッチする第２タッチ操作とを含み、
前記編集部は、前記第１タッチ操作においてタッチされた前記第１画像又は前記第２画像と、前記第２タッチ操作においてタッチされた前記第２画像又は前記第１画像とを入れ替える、請求項３または４に記載の画像読取装置。
【請求項６】
前記第１生成部は、マルチオートクロップ機能を用いて、複数の前記第１画像データを生成し、
前記第２生成部は、マルチオートクロップ機能を用いて、複数の前記第２画像データを生成する、請求項１から５のいずれかに記載の画像読取装置。
【請求項７】
複数枚の原稿を読み取る画像読取部と、
記録媒体に画像を形成する画像形成部と
を備えた画像形成装置であって、
前記画像読取部は、
原稿台と、
前記原稿台に載置された前記複数枚の原稿の各々の第１面の第１画像をそれぞれ示す複数の第１画像データを生成する第１生成部と、
前記原稿台の基準位置に基づいて、前記複数の第１画像データの各々に対して、互いに異なる第１記号として番号を割り当てる第１割当部と、
前記原稿台に載置された前記複数枚の原稿の各々の第２面の第２画像をそれぞれ示す複数の第２画像データを生成する第２生成部と、
前記基準位置に基づいて、前記複数の第２画像データの各々に対して、互いに異なる第２記号として番号を割り当てる第２割当部と、
前記第１記号及び前記第２記号に基づいて、前記複数の第１画像データの各々と、前記複数の第２画像データの各々とを関連付ける関連付け部と
を備え、
前記第１割当部は、
前記複数の第１画像データのうちの前記基準位置に最も近い第１基準原稿に対応する第１画像データに番号を割り当て、
前記複数の第１画像データのうちの前記第１基準原稿の第１方向に位置する原稿に対応する第１画像データに前記第１基準原稿に近い順番に続きの番号を割り当て、
前記複数の第１画像データのうちの前記第１基準原稿に対して第２方向に位置する第２基準原稿に対応する第１画像データに続きの番号を割り当て、
前記複数の第１画像データのうちの前記第２基準原稿の前記第１方向に位置する原稿に対応する第１画像データに前記第２基準原稿に近い順番に続きの番号を順番に割り当て、
前記第２割当部は、
前記複数の第２画像データのうちの前記基準位置に最も近い第１基準原稿に対応する第２画像データに番号を割り当て、
前記複数の第２画像データのうちの前記第１基準原稿の前記第１方向に位置する原稿に対応する第２画像データに前記第１基準原稿に近い順番に続きの番号を割り当て、
前記複数の第２画像データのうちの前記第１基準原稿に対して前記第２方向に位置する第２基準原稿に対応する第２画像データに続きの番号を割り当て、
前記複数の第２画像データのうちの前記第２基準原稿の前記第１方向に位置する原稿に対応する第２画像データに前記第２基準原稿に近い順番に続きの番号を順番に割り当て、
前記基準位置は、前記原稿台の左側後端部に位置し、
前記第１方向は、前記原稿台に対して後側から手前側に向かう方向を示し、
前記第２方向は、前記原稿台に対して左側から右側に向かう方向を示す、画像形成装置。
【国際調査報告】
2020049923.tif 000011
2020049923.tif 000012